(57)【要約】【課題】エネルギー資源の消費量の少ない空気調和システムを提供する。【解決手段】ユニット建物Ｕの床１０の下方に形成される床下空間２に設置される蓄熱部３と、床１０に設けられる床面ガラリ１０ａと、床下空間２に外気ＡＯを導くための開閉可能な外気導入部４とを備えた空気調和システムである。  そして、蓄熱部３の上面には熱交換部３１が形成されるとともに、外気導入部４の開放によって蓄熱区画２ａに取り込まれた外気ＡＯは、熱交換部３１を経由して床面ガラリ１０ａへと導かれる。【選択図】図１
2008281285.tif 000002
【特許請求の範囲】
【請求項１】
建物の床の下方に形成される床下空間に設置される蓄熱部と、前記床に設けられる床開口部と、前記床下空間に外気を導くための開閉可能な外気導入部とを備え、
前記蓄熱部の上面には熱交換部が形成されるとともに、前記外気導入部の開放によって前記床下空間に取り込まれた外気は、前記熱交換部を経由して前記床開口部へと導かれることを特徴とする空気調和システム。
【請求項２】
建物の床の下方に形成される床下空間に設置される蓄熱部を備えた空気調和システムであって、
前記蓄熱部の上面には、前記蓄熱部に蓄熱された熱と外側の空気との熱交換部として傾斜面が形成され、その傾斜面の下端には、その傾斜面で発生した結露水が流れ込む集水部が形成されることを特徴とする空気調和システム。
【請求項３】
前記蓄熱部には、ヒートポンプによって冷却又は加熱された熱輸送流体を介して冷熱又は温熱が蓄熱されることを特徴とする請求項１又は２に記載の空気調和システム。
【請求項４】
前記床下空間には、前記建物内部の内気が導入されることを特徴とする請求項１乃至３のいずれか一項に記載の空気調和システム。
【請求項５】
前記蓄熱部は、冷水又は温水によって蓄熱がおこなわれるとともに、その蓄熱部からの排水を通過させる排水管の前記建物の外側位置に、前記排水を地面に向けて散水する散水器が設けられることを特徴とする請求項１乃至４のいずれか一項に記載の空気調和システム。
【請求項６】
前記蓄熱部には、内部に空気を取り込む取込口とその内部を経由した空気を排出する吐出口とが設けられることを特徴とする請求項１乃至５のいずれか一項に記載の空気調和システム。
【請求項７】
前記蓄熱部は、太陽光によって加温されるソーラーウォールの熱媒によって蓄熱がおこなわれることを特徴とする請求項１乃至６のいずれか一項に記載の空気調和システム。
【請求項８】
請求項１乃至請求項７のいずれか一項に記載の空気調和システムを備えたことを特徴とする建物。
【発明の詳細な説明】
【技術分野】
【０００１】
本発明は、建物内部の空気の換気、除湿、温度調整などをおこなう空気調和システム、及びそれを備えた建物に関するものである。
【背景技術】
【０００２】
従来、建物の床下に配置された蓄熱体を加熱又は冷却して蓄熱をおこない、その蓄熱体に接続された放熱器を介して床下空間を暖冷房することによって、床上の居室の暖冷房をおこなう暖冷房装置が知られている（特許文献１など参照）。
【０００３】
この特許文献１の暖冷房装置では、床に開閉可能な通孔が設けられており、その通孔を開閉することによって床下空間との連通状態を変化させて居室の暖冷房を制御している。
【特許文献１】特開２００５−１５５９３７号公報
【発明の開示】
【発明が解決しようとする課題】
【０００４】
しかしながら、夏季であっても外気の温度が建物内部の内気の温度より低くなる場合があり、そのような快適な空気を建物内部に取り込む方が室内環境の改善が図れることがある。
【０００５】
このような場合には、エネルギー資源を消費する冷暖房装置だけで建物内部の空調をおこなうより、可能な限り外気を有効に活用する方がエネルギー資源の消費量を少なくすることができる。
【０００６】
そこで、本発明は、エネルギー資源の消費量の少ない空気調和システム、及びそれを備えた建物を提供することを目的としている。
【課題を解決するための手段】
【０００７】
前記目的を達成するために、本発明の空気調和システムは、建物の床の下方に形成される床下空間に設置される蓄熱部と、前記床に設けられる床開口部と、前記床下空間に外気を導くための開閉可能な外気導入部とを備え、前記蓄熱部の上面には熱交換部が形成されるとともに、前記外気導入部の開放によって前記床下空間に取り込まれた外気は、前記熱交換部を経由して前記床開口部へと導かれることを特徴とする。
【０００８】
また、建物の床の下方に形成される床下空間に設置される蓄熱部を備えた空気調和システムであって、前記蓄熱部の上面には、前記蓄熱部に蓄熱された熱と外側の空気との熱交換部として傾斜面が形成され、その傾斜面の下端には、その傾斜面で発生した結露水が流れ込む集水部が形成されることを特徴とする。
【０００９】
ここで、前記蓄熱部には、ヒートポンプによって冷却又は加熱された熱輸送流体を介して冷熱又は温熱が蓄熱されるように構成することができる。また、前記床下空間には、前記建物内部の内気が導入されるようにしてもよい。
【００１０】
さらに、前記蓄熱部は、冷水又は温水によって蓄熱がおこなわれるとともに、その蓄熱部からの排水を通過させる排水管の前記建物の外側位置に、前記排水を地面に向けて散水する散水器が設けられるものであってもよい。
【００１１】
また、前記蓄熱部には、内部に空気を取り込む取込口とその内部を経由した空気を排出する吐出口とが設けられる構成であってもよい。
【００１２】
さらに、前記蓄熱部は、太陽光によって加温されるソーラーウォールの熱媒によって蓄熱がおこなわれるものであってもよい。
【００１３】
また、本発明の建物は、上記いずれかの空気調和システムを備えたことを特徴とする。
【発明の効果】
【００１４】
このように構成された本発明の空気調和システムは、床下空間に設置される蓄熱部の熱交換部を経由して外気が床開口部に導かれる。
【００１５】
この熱交換部を外気が経由する際に、蓄熱部に冷熱が蓄熱されている場合は外気の温度が下がって除湿がおこなわれ、温熱が蓄熱されている場合は外気が暖められることになる。
【００１６】
このように蓄熱部に外気を経由させることによって、外気が建物内部に取り込める状態になるので、有効に外気を利用してエネルギー資源を節約することができる。
【００１７】
また、蓄熱部の上面を傾斜面にすることで、蓄熱部を通過する空気との接触面積が大きくなって効率的に熱交換がおこなわれるうえに、傾斜面に結露水が発生しても傾斜面の下端に集水部を設けておくことで円滑に排水することができる。
【００１８】
さらに、自然の熱エネルギーを利用するヒートポンプによって蓄熱部の蓄熱をおこなうようにすれば、よりエネルギー資源の消費量の少ない空気調和システムにすることができる。
【００１９】
また、床下空間に内気を導入させて建物内部との間で空気が循環するようにすれば、一旦調整された内気を有効に活用することができるので、エネルギー資源を節約することができる。
【００２０】
そして、蓄熱部から排水をおこなう際に、その排水を建物外部の地面に向けて散水器によって散水することで、例えば排水が冷水の場合は建物の外側位置の温度が下がり、その周辺から取り込まれる外気の温度も下げることができる。
【００２１】
また、蓄熱部の内部を通過する空気の経路を設けることで、熱交換部の内外の両方で熱交換をおこなうことができ、効率的である。
【００２２】
さらに、蓄熱部に温熱を蓄熱する際にソーラーウォールの熱媒を利用すれば、さらにエネルギー資源の消費量を減らすことができる。
【００２３】
また、このような空気調和システムを備えた建物は、自然エネルギーを有効に活用して建物全体を効率よく冷暖房することができる。
【発明を実施するための最良の形態】
【００２４】
以下、本発明の最良の実施の形態について図面を参照して説明する。
【００２５】
図１は、本実施の形態の空気調和システムを備えた建物としてのユニット建物Ｕの全体構成を説明する説明図である。
【００２６】
まず、構成から説明すると、このようなユニット建物Ｕは、基礎断熱として構築される底盤コンクリート２４と、その側縁に立設される側壁コンクリート２１，２２とによって基礎が構築され、その基礎の上に複数の建物ユニットを設置することで構築される。
【００２７】
そして、基礎の上面を塞ぐ建物の床１０によって、その下方の床下空間２と、上方の建物内部としての屋内１１とが区切られることになる。この屋内１１には、例えばリビングルーム、寝室、ダイニングルームなどの居室や廊下や洗面所やキッチンなどの非居室が該当する。
【００２８】
また、この床下空間２は、後述する蓄熱部３を設置するための蓄熱区画２ａと、それ以外の床下区画２ｂとが画成壁２３によって区切られている。さらに、この蓄熱区画２ａは、床１０に設けられた床開口部としての床面ガラリ１０ａによって屋内１１と連通している。また、床下区画２ｂと屋内１１も、床１０に設けられた床面ガラリ１０ｂを介して連通されている。
【００２９】
さらに、床１０には、ユニット建物Ｕの屋外１２と連通させるための外気用ガラリ１０ｃが設けられており、直接、外気ＡＯを室内に導入することができる。また、この外気用ガラリ１０ｃには、ルーバーが設けられており、ルーバーを開閉することで、外気ＡＯを屋内１１に取り込んだり、遮断したりすることができる。
【００３０】
一方、床下空間２の蓄熱区画２ａは、屋外１２との境界となる側壁コンクリート２１に外気導入部４が設けられている。この外気導入部４は、側壁コンクリート２１の貫通孔である外気導入口４１と、その外気導入口４１を開閉させる蓋部４２とから主に構成されている。この蓋部４２は、図示しない遠隔操作手段によって屋内１１からの操作で開閉させることができる。
【００３１】
また、蓄熱区画２ａと床下区画２ｂとの境界となる画成壁２３には、両区画を連通させる内気導入部４３が設けられている。この内気導入部４３は、貫通孔４３１と、床下区画２ｂ内の空気を蓄熱区画２ａに送るためのファン４３２とから主に構成されている。
【００３２】
そして、この蓄熱区画２ａには、図２に示すような蓄熱部３が配置されている。この蓄熱部３は、上部が開放された箱形の容器３５と、その容器３５の上部を塞ぐ熱交換部３１と、その熱交換部３１の側縁に延設される集水部としてのドレーン部３４と、容器３５の側面と底面を被覆するグラスウールなどの断熱部３３とから主に構成される。
【００３３】
この容器３５は、プラスチックなどの合成樹脂材料によって、一方の側壁３５ｂの上端が対向する他方の側壁３５ａの上端よりも高くなるように形成された中空の容器である。この容器３５の内部には、熱輸送流体としての冷水又は温水などの水３２が充填される。
【００３４】
また、熱交換部３１は、高い方の側壁３５ｂから低い方の側壁３５ａに亘って容器３５の上部を斜めに塞ぐ傾斜面３１１と、その傾斜面３１１上に平行なリブ状に形成されるフィン部３１２，・・・とから主に構成される。
【００３５】
この傾斜面３１１は、熱伝導率の高い鋼板などによって成形され、フィン部３１２は、鋼板などで傾斜面３１１の傾斜方向に向けて延設される。すなわち、傾斜面３１１の上面から上方に突出する複数のフィン部３１２，・・・を設けることによって、熱交換部３１とその外側の空気との接触面積が増加し、効率的に熱交換がおこなわれるようになる。ここで、傾斜面３１１は、蓄熱区画２ａに蓄熱部３を配置した際に、外気導入部４側が低くなるようにするとよい。
【００３６】
また、この傾斜面３１１の下端になる最も低い位置の側縁に沿って、断面視凹形のドレーン部３４が設けられる。このドレーン部３４には、傾斜面３１１を流下した結露水などの水滴が流れ込み、ドレーン部３４を通って、図示しない排出経路に排出される。このため、ドレーン部３４には、例えば傾斜面３１１の傾斜方向と直交する方向に、排水勾配を設けておくとよい。
【００３７】
そして、この蓄熱部３には、熱源としてヒートポンプ５が接続されている。
【００３８】
このヒートポンプ５は、熱を低温物体と高温物体との間で移動させることで加熱又は冷却をおこなう装置で、二酸化炭素などの熱媒を循環させながら圧縮・膨張をおこなうことで、熱を吸収したり、熱を放出したりして、その熱媒に接する熱輸送流体としての水３２を加熱したり、冷却したりする。
【００３９】
このようにしてヒートポンプ５で冷却又は加熱された水３２は、給水管５１によって送り出されて蓄熱部３の容器３５の内部に充填されるとともに、蓄熱部３で使用された水３２は、排水管５２を通してヒートポンプ５に戻される。
【００４０】
この実施の形態では、主に、夏季に空気調和システムを使用する場合について説明する。すなわち、蓄熱部３には冷却された水３２が容器３５の下方から供給され、熱交換部３で外気と熱交換することによって温度が上昇した水３２は、容器３５の上方から排出される。
【００４１】
次に、本実施の形態の空気調和システムによって外気の除湿・冷房をおこなう場合について説明する。
【００４２】
まず、電気料金の安い深夜電力を使ってヒートポンプ５で冷却された水３２を、給水管５１を通して蓄熱部３に送ることで、夜間に冷熱の蓄熱をおこなう。この蓄熱部３へ蓄熱をおこなっているときには、熱交換部３１からの放熱を減らすために、外気導入部４の蓋部４２を閉じて外気の侵入を遮断するとともに、床面ガラリ１０ａも閉じておくのが好ましい。
【００４３】
また、夜間などの涼しいときには、除湿や冷却をおこなわなくても、外気ＡＯが快適な状態となっている場合があるので、図１に示すように外気用ガラリ１０ｃを開けて、外気ＡＯを直接、屋内１１に取り込んでもよい。特に、外気用ガラリ１０ｃ周辺に植栽Ｐがされており、夏季でも低い気温の外気ＡＯが導入できる場合は、そのまま外気ＡＯを屋内１１に取り込むことができる。
【００４４】
そして、ユニット建物Ｕ周辺の地面近くの気温が低い午前中などや、屋内１１の換気をおこないたいときなどに、図１に示すように、外気導入部４の蓋部４２を開けて、外気ＡＯを蓄熱区画２ａに取り込む。
【００４５】
この蓄熱区画２ａに取り込まれた外気ＡＯは、蓄熱部３の熱交換部３１に当たり、冷却された水３２によって冷えた熱交換部３１と熱交換がおこなわれる。この際、外気ＡＯに含まれる水分の一部は、結露水となって傾斜面３１１を流れ落ち、ドレーン部３４から排水される。
【００４６】
一方、結露水を発生させることで除湿された外気ＡＯは、床面ガラリ１０ａを通って屋内１１に流れ込む。このように蓄熱区画２ａを通って屋内１１に供給される外気ＡＯは、屋外１２にあるときより除湿・冷却されているため、屋内１１の環境を快適な状態に調整することができる。
【００４７】
他方、午後になって屋外１２の気温が上昇したときに外気ＡＯを屋内１１に取り込もうとすると、その冷却に必要な電気やガスなどのエネルギー資源の消費量が大きくなってしまうので、蓋部４２を閉じて外気ＡＯの導入を停止する。
【００４８】
その一方で、内気導入部４３のファン４３２を回し、床下区画２ｂの空気を蓄熱区画２ａに送り込む。この床下区画２ｂの空気は、図１に示すように、屋内１１から床面ガラリ１０ｂを通って流れ込む内気ＡＩであり、蓄熱区画２ａで除湿・冷却された後に、床面ガラリ１０ａを通って屋内１１に戻る。
【００４９】
このように屋内１１の空気を床下空間２に送り込んで循環させることで、少ないエネルギー資源の消費量で空気の除湿・冷却ができるとともに、屋内１１の快適な環境を維持することができる。
【００５０】
次に、本実施の形態の空気調和システムの作用について説明する。
【００５１】
このように構成された本実施の形態の空気調和システムは、床下空間２の蓄熱区画２ａに設置される蓄熱部３の熱交換部３１を経由して、外気ＡＯが床面ガラリ１０ａに導かれる。
【００５２】
この熱交換部３１を外気が経由する際に、蓄熱部３に冷熱が蓄熱されている場合は外気ＡＯの温度が下がって除湿がおこなわれ、温熱が蓄熱されている場合は外気が暖められることになる。
【００５３】
このように蓄熱部３に外気を経由させることによって、外気ＡＯが屋内１１に快適に取り込める温度や湿度になるので、有効に外気ＡＯを利用することができる。
【００５４】
また、蓄熱部３の上面を傾斜面３１１にすることで、傾斜面３１１の低い側から取り込まれた外気ＡＯが熱交換部３１に当たりやすくなるうえに、熱交換部３１を通過する外気ＡＯとの接触面積が大きくなって効率的に熱交換がおこなわれる。
【００５５】
さらに、外気ＡＯを冷却した際に傾斜面３１１に結露水が発生しても、傾斜面３１１の下端にドレーン部３４を設けておくことで、確実に処理されて蓄熱部３周辺にカビを発生させるようなことがない。
【００５６】
また、自然の熱エネルギーを利用するヒートポンプ５によって蓄熱部３の蓄熱をおこなうようにすれば、電気やガスなどのエネルギー資源の節約を図ることができる。
【００５７】
さらに、床下空間２に内気ＡＩを導入させて屋内１１との間で空気が循環するようにすれば、一旦調整された内気ＡＩを有効に活用することができるので、エネルギー資源の消費量を少なくすることができる。
【００５８】
さらに、このような空気調和システムを備えたユニット建物Ｕは、自然エネルギーを有効に活用して建物全体を効率よく冷暖房することができる。
【実施例１】
【００５９】
次に、前記実施の形態とは別の形態の空気調和システムについて、図３を参照しながら説明する。なお、前記実施の形態で説明した内容と同一乃至均等な部分の説明については同一符号を付して説明する。
【００６０】
この実施例１では、外気ＡＯを除湿した際に発生する結露水Ｃ及びヒートポンプ５で冷却した冷水６２を、有効利用する空気調和システムについて説明する。
【００６１】
この実施例１の空気調和システムを構成する蓄熱部６は、前記実施の形態と同様に蓄熱区画２ａに配置される。
【００６２】
この蓄熱部６は、箱形の下部容器６５と、その下部容器６５の上部に傾斜屋根状に配置される熱交換部としての傾斜面６１と、その傾斜面６１の下端と下部容器６５の側壁６５ａとの隙間に形成される集水部としての流入口６４と、下部容器６５の側面と底面を被覆するグラスウールなどの断熱部６３とから主に構成される。
【００６３】
この下部容器６５と傾斜面６１とは、鋼板などの熱伝導率の高い材料で一体に成形されており、流入口６４を介して下部容器６５の内外が連通されている。すなわち、傾斜面６１の下端は、下部容器６５の側壁６５ａの手前で下方に向けて折り曲げられた垂下壁６１ａとなっており、その垂下壁６１ａと側壁６５ａとの隙間が流入口６４となる。
【００６４】
また、下部容器６５の内面には、内部に貯留される冷水６２の水位を計測する水位センサ７１が取り付けられている。
【００６５】
一方、この蓄熱部６とヒートポンプ５とは、給水管５１と排水管５２とによって接続されており、この排水管５２の途中には散水器７が取り付けられている。
【００６６】
この散水器７は、屋外１２となる建物の側壁コンクリート２２より外側位置に設けられており、地面の植栽Ｐに向けて散水されるように下面に散水孔（図示せず）が設けられている。
【００６７】
また、この散水器７は、通信ケーブル７２によって水位センサ７１に接続されており、蓄熱部６の冷水６２の水位が一定以上になると、蓄熱部６から排出された冷水６２の一部又は全部が散水器７から散水される。
【００６８】
次に、本実施例１の空気調和システムによって、外気の除湿・冷房をおこなう場合の作用について説明する。
【００６９】
この空気調和システムでは、蓄熱区画２ａに外気ＡＯが導入されると、傾斜面６１との間で熱交換がおこなわれ、その際に発生した結露水Ｃが、傾斜面６１を下って流入口６４に流れ込み、下部容器６５内の冷水６２に混入する。
【００７０】
そして、この結露水Ｃの流入量が増加すると、下部容器６５内の水位が上昇することになるが、そのままにしておくと流入口６４から溢れてしまうため、排水管５２によって排水をおこない、所定の高さ以上の水位にならないように制御する。
【００７１】
他方、この冷水６２は、外気ＡＯとの熱交換や結露水Ｃの混入によって温度が上昇しているが、屋外１２の気温よりも低い場合が多く、この排出された冷水６２の有効利用が望まれる。すなわち、電気などのエネルギー資源を消費するヒートポンプ５によって一旦温度が下げられた冷水６２を、有効に利用することは、システム全体のエネルギー資源の消費量の削減に貢献する。
【００７２】
そこで、排水管５２の途中に設けられた散水器７から地面の植栽Ｐに向けて散水するようにすれば、植栽Ｐの水遣りとなるだけでなく、植栽Ｐ周辺の気温を下げることができる。
【００７３】
この散水器７は、水位センサ７１と通信ケーブル７２を介して接続されており、一定以上の水位が水位センサ７１によって検出されると、その信号が散水器７に送られて散水がおこなわれる。
【００７４】
そして、散水によって下がった外気ＡＯを取り込んだり、建物周辺の気温を低下させたりすることで、快適な屋内１１の環境を、少ないエネルギー資源の消費で維持できるようになる。
【００７５】
なお、この他の構成および作用効果については、前記実施の形態と略同様であるため説明を省略する。
【実施例２】
【００７６】
次に、前記実施の形態とは別の形態の空気調和システムについて、図４を参照しながら説明する。なお、前記実施の形態又は実施例１で説明した内容と同一乃至均等な部分の説明については同一符号を付して説明する。
【００７７】
この実施例２では、蓄熱部６の内部に外気ＡＯを経由させる空気調和システムの構成について、実施例１の蓄熱部６の構成に基づいて説明する。
【００７８】
この蓄熱部６には、傾斜面６１の下端側の垂下壁６１ａの途中に、内外を連通させる取込口６６が設けられている。また、傾斜面６１の上端側の下部容器６５の側壁６５ｂには、内外を連通させる吐出口６７が設けられている。この取込口６６と吐出口６７は、冷水６２の水面より常に上方に位置する個所に設けられる。
【００７９】
このように蓄熱部６の内部に空気を経由させる取込口６６と吐出口６７とを設けると、蓄熱部６に向けて取り込まれた外気ＡＯは、傾斜面６１の上面を通過するだけでなく、取込口６６から取り込まれて、冷水６２によって冷却・除湿された後に、吐出口６７から排出されることになる。
【００８０】
このため、外気ＡＯの経路が複数になって、蓄熱部６での熱交換が効率的におこなわれるようになる。
【００８１】
なお、この他の構成および作用効果については、前記実施の形態又は実施例１と略同様であるため説明を省略する。
【実施例３】
【００８２】
次に、前記実施の形態とは別の形態の空気調和システムについて、図５を参照しながら説明する。なお、前記実施の形態又は実施例で説明した内容と同一乃至均等な部分の説明については同一符号を付して説明する。
【００８３】
この実施例３では、冬季において、暖房をおこなう場合を主にした空気調和システムについて説明する。
【００８４】
この空気調和システムは、ヒートポンプ５と蓄熱部３との間に蓄熱タンク９が接続されている。この蓄熱タンク９は、プラスチックなどの合成樹脂材料によって外殻が形成された温水を貯留する容器で、床下空間２の床下区画２ｂにこの蓄熱タンク９を配置すると、放熱がおこなわれて床下区画２ｂの空気を暖めることができる。
【００８５】
一方、蓄熱部３は、前記実施の形態と同様にヒートポンプ５に接続されており、ヒートポンプ５を稼動させることによって温熱を蓄熱することができる。さらに、この蓄熱部３には、ソーラーウォール８が熱輸送管８１を介して接続されており、昼間の太陽が照っている時間帯は太陽光で温められた熱媒によって蓄熱部３の蓄熱をおこなうことができる。
【００８６】
この蓄熱部３の蓄熱は、ヒートポンプ５とソーラーウォール８との切替可能な構成として、可能な限りソーラーウォール８から送られる熱媒を利用するようにすれば、電気などのエネルギー資源の消費量を抑えることができる。
【００８７】
次に、本実施例３の空気調和システムによって、ユニット建物Ｕの暖房をおこなう場合の作用について説明する。
【００８８】
まず、冬季においては、換気をおこなう場合を除いて、冷たい外気が入り込まないように、外気導入部４の蓋部４２を閉じるとともに、外気用ガラリ１０ｃを閉じておく。
【００８９】
また、蓄熱タンク９と蓄熱部３には、夜間の深夜電力を利用して温熱を蓄熱しておく。さらに、昼間の太陽光によってソーラーウォール８を加温できる時間帯は、自然エネルギーによって蓄熱部３の温熱の蓄熱量を増加させることができる。このように、蓄熱部３に温熱を蓄熱する際にソーラーウォール８の熱媒を利用すれば、さらにエネルギー資源の消費量を減らすことができる。
【００９０】
そして、床下空間２の画成壁２３に設けた内気導入部４３のファン４３２を稼動させると、屋内１１から床面ガラリ１０ｂを通って床下区画２ｂに導かれた内気ＡＩが、蓄熱区画２ａを通って再び屋内１１に戻るという内気ＡＩ循環の流れが形成される。
【００９１】
この内気ＡＩは、床下区画２ｂを通過する際に蓄熱タンク９の熱によって暖められ、蓄熱区画２ａを通過する際に蓄熱部３の熱によって暖められて屋内１１に暖気として戻ることになる。
【００９２】
また、蓄熱タンク９の放熱によって床下区画２ｂを暖めると、床１０や床面ガラリ１０ｂを介して屋内１１が暖房されることになる。
【００９３】
以上においては、外気導入部４の蓋部４２を閉じた場合について説明したが、冬季であっても暖かい日や換気をおこないたいときには、蓋部４２を開放して外気ＡＯを取り込み、蓄熱部３で暖めた後に屋内１１に送り出せば、屋内１１の室温が急激に下がることがなく、快適な屋内環境が維持される。
【００９４】
なお、この他の構成および作用効果については、前記実施の形態又は他の実施例と略同様であるため説明を省略する。
【００９５】
以上、図面を参照して、本発明の最良の実施の形態を詳述してきたが、具体的な構成は、この実施の形態又は実施例に限らず、本発明の要旨を逸脱しない程度の設計的変更は、本発明に含まれる。
【００９６】
例えば、前記実施の形態及び実施例では、冷却・加熱装置としてヒートポンプ５を使用する場合について説明したが、これに限定されるものではなく、蓄熱部３，６に冷熱及び温熱を蓄熱できる装置であればいずれの形態であってもよい。
【００９７】
また、前記実施の形態及び実施例では、蓄熱部３，６として冷水や温水を貯留して蓄熱する構成について説明したが、これに限定されるものではなく、熱媒は水以外の流体であってもよい。また、レンガなどの蓄熱体を利用して蓄熱する蓄熱部であってもよい。
【００９８】
さらに、前記実施の形態及び実施例では、床下空間２を蓄熱区画２ａと床下区画２ｂとに画成壁２３によって区切ったが、これに限定されるものではなく、床下空間２は区切られていなくてもよい。
【図面の簡単な説明】
【００９９】
【図１】本発明の最良の実施の形態の空気調和システムを配置したユニット建物の構成を説明する説明図である。
【図２】蓄熱部の構成を説明する一部切断斜視図である。
【図３】実施例１の空気調和システムの構成を説明する説明図である。
【図４】実施例２の空気調和システムの構成を説明する説明図である。
【図５】実施例３の空気調和システムを配置したユニット建物の構成を説明する説明図である。
【符号の説明】
【０１００】
Ｕ            ユニット建物（建物）
ＡＯ          外気
ＡＩ          内気
Ｃ            結露水
１０          床
１１          屋内（建物内部）
１０ａ        床面ガラリ（床開口部）
２            床下空間
２ａ          蓄熱区画（床下空間）
２ｂ          床下区画（床下空間）
３            蓄熱部
３１          熱交換部
３１１        傾斜面
３２          水（熱輸送流体）
３４          ドレーン部（集水部）
４            外気導入部
４２          蓋部
６            蓄熱部
６１          傾斜面（熱交換部）
６２          冷水（熱輸送流体）
６４          流入口（集水部）
６６          取込口
６７          吐出口
７            散水器
８            ソーラーウォール
【図１】
2008281285.tif 000003
【図２】
2008281285.tif 000004
【図３】
2008281285.tif 000005
【図４】
2008281285.tif 000006
【図５】
2008281285.tif 000007